(57)【要約】【課題】電子番組表の中から所望の曜日及び時間帯の放送スケジュールを少ない操作で確認することができる表示制御装置を提供する。【解決手段】曜日軸及び時間帯軸により二次元表示されたタイムテーブル６６であって、複数の放送チャンネルに関する電子番組表６２を表示するための特定の曜日及び特定の時間帯の組み合わせが強調表示されたタイムテーブル６６を生成する生成部５２と、リモコン１０の複数のキー１２のうち特定のキーに割り当てられた、特定の曜日及び特定の時間帯の組み合わせを選択する操作を受け付けるリモコン受光部４６と、タイムテーブル６６を液晶パネル６に表示させ、且つ、特定の曜日及び特定の時間帯の組み合わせが選択された際に、特定の曜日及び特定の時間帯の組み合わせに対応する複数の放送チャンネルに関する電子番組表６２を液晶パネル６に表示させる表示制御部５４と、を備える。【選択図】図８
2015089044.tif 000002
【特許請求の範囲】
【請求項１】
複数の放送チャンネルに関する電子番組表を表示装置に表示する制御を行い、且つ、複数のキーを有する操作機器によって遠隔操作される表示制御装置であって、
曜日軸及び時間帯軸により二次元表示されたタイムテーブルであって、前記複数の放送チャンネルに関する前記電子番組表を表示するための特定の曜日及び特定の時間帯の組み合わせが強調表示された前記タイムテーブルを生成する生成部と、
前記操作機器の前記複数のキーのうち特定のキーに割り当てられた、前記特定の曜日及び前記特定の時間帯の組み合わせを選択する操作を受け付ける受付部と、
前記タイムテーブルを前記表示装置に表示させ、且つ、前記特定の曜日及び前記特定の時間帯の組み合わせが選択された際に、前記特定の曜日及び前記特定の時間帯の組み合わせに対応する前記複数の放送チャンネルに関する前記電子番組表を前記表示装置に表示させる表示制御部と、を備える
表示制御装置。
【請求項２】
前記生成部は、曜日と時間帯とを対応付けて示す複数のセルが行列状に配置され、且つ、前記複数のセルのうち前記特定の曜日及び前記特定の時間帯の組み合わせを示す特定のセルが強調表示された前記タイムテーブルを生成し、
前記受付部は、前記操作機器の前記特定のキーに割り当てられた前記特定のセルを選択する操作を受け付け、
前記表示制御部は、前記特定のセルが選択された際に、前記特定の曜日及び前記特定の時間帯の組み合わせに対応する前記複数の放送チャンネルに関する前記電子番組表を前記表示装置に表示させる
請求項１に記載の表示制御装置。
【請求項３】
前記操作機器の前記複数のキーは複数の数字キーを含んでおり、
前記生成部は、前記複数の数字キーのうち前記特定のキーである特定の数字キーに対応する数字が前記特定のセルに表示されることにより前記特定のセルが強調表示された前記タイムテーブルを生成し、
前記受付部は、前記特定の数字キーに割り当てられた前記特定のセルを選択する操作を受け付ける
請求項２に記載の表示制御装置。
【請求項４】
前記生成部は、前記特定のセルの色が他のセルの色と異なることにより前記特定のセルが強調表示された前記タイムテーブルを生成する
請求項２又は３に記載の表示制御装置。
【請求項５】
前記生成部は、前記曜日軸が１週間分の曜日を表し、且つ、前記時間帯軸が１日分の時間帯を表す前記タイムテーブルを生成する
請求項１〜４のいずれか１項に記載の表示制御装置。
【請求項６】
前記表示制御部は、前記特定の曜日及び前記特定の時間帯の組み合わせが選択された際に、前記特定の時間帯が前記表示装置の表示領域の中央部に配置されるように前記電子番組表を前記表示装置に表示させる
請求項１〜５のいずれか１項に記載の表示制御装置。
【請求項７】
さらに、放送番組を受信するチューナ部と、
ユーザによる放送番組の視聴に関する履歴情報が記憶された記憶部と、
前記記憶部に記憶された前記履歴情報に基づいて、前記タイムテーブルにおける曜日及び時間帯の組み合わせの中から前記特定の曜日及び前記特定の時間帯の組み合わせを抽出する抽出部と、を備え、
前記生成部は、前記抽出部により抽出された前記特定の曜日及び前記特定の時間帯の組み合わせに基づいて、前記タイムテーブルを生成する
請求項１〜６のいずれか１項に記載の表示制御装置。
【請求項８】
前記履歴情報は、前記ユーザが放送番組を視聴した視聴曜日及び視聴時間帯の履歴に関する情報を含んでおり、
前記抽出部は、前記履歴情報の中から最も高い頻度で視聴された視聴曜日及び視聴時間帯の組み合わせを、前記特定の曜日及び前記特定の時間帯の組み合わせとして抽出する
請求項７に記載の表示制御装置。
【請求項９】
さらに、放送番組の視聴予約を設定する視聴予約設定部を備え、
前記履歴情報は、前記視聴予約設定部により視聴予約された放送番組の放送曜日及び放送時間帯の履歴に関する情報を含んでおり、
前記抽出部は、前記履歴情報の中から最も高い頻度で視聴予約された放送曜日及び放送時間帯の組み合わせを、前記特定の曜日及び前記特定の時間帯の組み合わせとして抽出する
請求項７に記載の表示制御装置。
【請求項１０】
さらに、放送番組の録画予約を設定する録画予約設定部を備え、
前記履歴情報は、前記録画予約設定部により録画予約された放送番組の放送曜日及び放送時間帯の履歴に関する情報を含んでおり、
前記抽出部は、前記履歴情報の中から最も高い頻度で録画予約された放送曜日及び放送時間帯の組み合わせを、前記特定の曜日及び前記特定の時間帯の組み合わせとして抽出する
請求項７に記載の表示制御装置。
【請求項１１】
前記履歴情報は、前記ユーザにより視聴された放送番組のジャンル、放送曜日及び放送時間帯の履歴に関する情報を含んでおり、
前記抽出部は、前記ユーザにより放送番組が視聴されたことがない曜日及び時間帯の組み合わせであり、且つ、前記履歴情報のうち最も高い頻度で視聴されたジャンルの放送番組を最も多く含む前記電子番組表における曜日及び時間帯の組み合わせを、前記特定の曜日及び前記特定の時間帯の組み合わせとして抽出する
請求項７に記載の表示制御装置。
【請求項１２】
さらに、ユーザが外出する予定の外出予定曜日及び外出予定時間帯の組み合わせに関するスケジュール情報を外部から受信する受信部と、
前記スケジュール情報の中から現在時刻に最も近い外出予定曜日及び外出予定時間帯の組み合わせを、前記特定の曜日及び前記特定の時間帯の組み合わせとして抽出する抽出部と、を備え、
前記生成部は、前記抽出部により抽出された前記特定の曜日及び前記特定の時間帯の組み合わせに基づいて、前記タイムテーブルを生成する
請求項１〜６のいずれか１項に記載の表示制御装置。
【発明の詳細な説明】
【技術分野】
【０００１】
本発明は、電子番組表（ＥＰＧ；Ｅｌｅｃｔｒｏｎｉｃ  Ｐｒｏｇｒａｍ  Ｇｕｉｄｅ）を表示装置に表示する制御を行う表示制御装置に関する。
【背景技術】
【０００２】
電子番組表を表示装置に表示する制御を行う表示制御装置として、例えばデジタルテレビジョン受像機が知られている。このデジタルテレビジョン受像機では、デジタル放送信号に重畳された番組関連情報に基づいて電子番組表が取得される（例えば、特許文献１参照）。電子番組表は、例えば、１週間分の放送番組の放送スケジュールに関する番組表データである。電子番組表は、例えば、横軸及び縦軸にそれぞれ放送チャンネル及び時間帯が割り当てられた二次元の番組表として液晶パネル等の画面に表示される。
【０００３】
ユーザが電子番組表の中から所望の曜日及び時間帯の放送スケジュールを確認したい場合には、例えば次のような手順を実行する必要がある。まず、ユーザがリモートコントローラ（以下、「リモコン」という）の番組表表示キーを入力することにより、現在の曜日及び時間帯の電子番組表が画面に表示される。この状態で、ユーザがリモコンの十字キー及び決定キー等を入力することにより、画面に表示される電子番組表が現在の曜日の電子番組表から所望の曜日の電子番組表に切り替えられる。その後、ユーザは、リモコンの十字キーを入力して画面上のカーソルを移動させることにより、所望の時間帯が画面に表示されるまで電子番組表を縦軸方向にスクロールさせる。
【先行技術文献】
【特許文献】
【０００４】
【特許文献１】特開平１１−１９６３４３号公報
【発明の概要】
【発明が解決しようとする課題】
【０００５】
しかしながら、上述した従来の表示制御装置では、ユーザが電子番組表の中から所望の曜日及び時間帯の放送スケジュールを確認したい場合には、上述したようにリモコンの十字キー等を何回も入力する必要があるため、操作性が良くないという課題が生じる。
【０００６】
本発明は、上述した課題を解決しようとするものであり、その目的は、電子番組表の中から所望の曜日及び時間帯の放送スケジュールを少ない操作で確認することができる表示制御装置を提供することである。
【課題を解決するための手段】
【０００７】
上記目的を達成するために、本発明の一態様に係る表示制御装置は、複数の放送チャンネルに関する電子番組表を表示装置に表示する制御を行い、且つ、複数のキーを有する操作機器によって遠隔操作される表示制御装置であって、曜日軸及び時間帯軸により二次元表示されたタイムテーブルであって、前記複数の放送チャンネルに関する前記電子番組表を表示するための特定の曜日及び特定の時間帯の組み合わせが強調表示された前記タイムテーブルを生成する生成部と、前記操作機器の前記複数のキーのうち特定のキーに割り当てられた、前記特定の曜日及び前記特定の時間帯の組み合わせを選択する操作を受け付ける受付部と、前記タイムテーブルを前記表示装置に表示させ、且つ、前記特定の曜日及び前記特定の時間帯の組み合わせが選択された際に、前記特定の曜日及び前記特定の時間帯の組み合わせに対応する前記複数の放送チャンネルに関する前記電子番組表を前記表示装置に表示させる表示制御部と、を備える。
【０００８】
本態様によれば、表示装置には、特定の曜日及び特定の時間帯の組み合わせが強調表示されたタイムテーブルが表示される。操作機器の特定のキーを入力することにより特定の曜日及び特定の時間帯の組み合わせが選択された際に、特定の曜日及び特定の時間帯の組み合わせに対応する複数の放送チャンネルに関する電子番組表が表示装置に表示される。これにより、ユーザは、タイムテーブル上で特定の曜日及び特定の時間帯の組み合わせを選択するという少ない操作で、電子番組表の中から所望の曜日及び時間帯の放送スケジュールを確認することができる。
【０００９】
例えば、本発明の一態様に係る表示制御装置において、前記生成部は、曜日と時間帯とを対応付けて示す複数のセルが行列状に配置され、且つ、前記複数のセルのうち前記特定の曜日及び前記特定の時間帯の組み合わせを示す特定のセルが強調表示された前記タイムテーブルを生成し、前記受付部は、前記操作機器の前記特定のキーに割り当てられた前記特定のセルを選択する操作を受け付け、前記表示制御部は、前記特定のセルが選択された際に、前記特定の曜日及び前記特定の時間帯の組み合わせに対応する前記複数の放送チャンネルに関する前記電子番組表を前記表示装置に表示させるように構成してもよい。
【００１０】
本態様によれば、タイムテーブルを、曜日と時間帯とを対応付けて示す複数のセルが行列状に配置されたテーブルで構成することができる。
【００１１】
例えば、本発明の一態様に係る表示制御装置において、前記操作機器の前記複数のキーは複数の数字キーを含んでおり、前記生成部は、前記複数の数字キーのうち前記特定のキーである特定の数字キーに対応する数字が前記特定のセルに表示されることにより前記特定のセルが強調表示された前記タイムテーブルを生成し、前記受付部は、前記特定の数字キーに割り当てられた前記特定のセルを選択する操作を受け付けるように構成してもよい。
【００１２】
本態様によれば、特定のセルには特定の数字キーに対応する数字が表示されている。これにより、ユーザは、特定のセルに表示された数字に対応する特定の数字キーを入力することにより、特定のセルを容易に選択することができる。
【００１３】
例えば、本発明の一態様に係る表示制御装置において、前記生成部は、前記特定のセルの色が他のセルの色と異なることにより前記特定のセルが強調表示された前記タイムテーブルを生成するように構成してもよい。
【００１４】
本態様によれば、特定のセルの色が他のセルの色と異なるので、タイムテーブルにおける特定のセルの視認性を高めることができる。
【００１５】
例えば、本発明の一態様に係る表示制御装置において、前記生成部は、前記曜日軸が１週間分の曜日を表し、且つ、前記時間帯軸が１日分の時間帯を表す前記タイムテーブルを生成するように構成してもよい。
【００１６】
本態様によれば、タイムテーブルは、１週間分の全時間帯の曜日及び時間帯を表示している。これにより、ユーザは、１週間分の全時間帯の曜日及び時間帯の中から、特定の曜日及び特定の時間帯を選択することができる。
【００１７】
例えば、本発明の一態様に係る表示制御装置において、前記表示制御部は、前記特定の曜日及び前記特定の時間帯の組み合わせが選択された際に、前記特定の時間帯が前記表示装置の表示領域の中央部に配置されるように前記電子番組表を前記表示装置に表示させるように構成してもよい。
【００１８】
本態様によれば、電子番組表の特定の時間帯が表示装置の表示領域の中央部に配置されるので、電子番組表の視認性を高めることができる。
【００１９】
例えば、本発明の一態様に係る表示制御装置において、さらに、放送番組を受信するチューナ部と、ユーザによる放送番組の視聴に関する履歴情報が記憶された記憶部と、前記記憶部に記憶された前記履歴情報に基づいて、前記タイムテーブルにおける曜日及び時間帯の組み合わせの中から前記特定の曜日及び前記特定の時間帯の組み合わせを抽出する抽出部と、を備え、前記生成部は、前記抽出部により抽出された前記特定の曜日及び前記特定の時間帯の組み合わせに基づいて、前記タイムテーブルを生成するように構成してもよい。
【００２０】
本態様によれば、抽出部は、ユーザによる放送番組の視聴に関する履歴情報に基づいて、特定の曜日及び特定の時間帯の組み合わせを抽出する。これにより、ユーザが優先的に確認するであろう放送スケジュールに対応する特定の曜日及び特定の時間帯の組み合わせをタイムテーブルに表示することができる。
【００２１】
例えば、本発明の一態様に係る表示制御装置において、前記履歴情報は、前記ユーザが放送番組を視聴した視聴曜日及び視聴時間帯の履歴に関する情報を含んでおり、前記抽出部は、前記履歴情報の中から最も高い頻度で視聴された視聴曜日及び視聴時間帯の組み合わせを、前記特定の曜日及び前記特定の時間帯の組み合わせとして抽出するように構成してもよい。
【００２２】
一般に、ユーザは、電子番組表のうち、過去に高い頻度で放送番組を視聴した視聴曜日及び視聴時間帯の放送スケジュールを優先的に確認すると考えられる。そのため、本態様によれば、抽出部は、履歴情報の中から最も高い頻度で視聴された視聴曜日及び視聴時間帯の組み合わせを、特定の曜日及び特定の時間帯の組み合わせとして抽出する。これにより、ユーザが優先的に確認するであろう視聴曜日及び視聴時間帯の組み合わせをタイムテーブルに表示することができる。
【００２３】
例えば、本発明の一態様に係る表示制御装置において、さらに、放送番組の視聴予約を設定する視聴予約設定部を備え、前記履歴情報は、前記視聴予約設定部により視聴予約された放送番組の放送曜日及び放送時間帯の履歴に関する情報を含んでおり、前記抽出部は、前記履歴情報の中から最も高い頻度で視聴予約された放送曜日及び放送時間帯の組み合わせを、前記特定の曜日及び前記特定の時間帯の組み合わせとして抽出するように構成してもよい。
【００２４】
一般に、ユーザは、電子番組表のうち、過去に高い頻度で視聴予約した放送番組の放送曜日及び放送時間帯の放送スケジュールを優先的に確認すると考えられる。そのため、本態様によれば、抽出部は、履歴情報の中から最も高い頻度で視聴予約された放送曜日及び放送時間帯の組み合わせを、特定の曜日及び特定の時間帯の組み合わせとして抽出する。これにより、ユーザが優先的に確認するであろう放送曜日及び放送時間帯の組み合わせをタイムテーブルに表示することができる。
【００２５】
例えば、本発明の一態様に係る表示制御装置において、さらに、放送番組の録画予約を設定する録画予約設定部を備え、前記履歴情報は、前記録画予約設定部により録画予約された放送番組の放送曜日及び放送時間帯の履歴に関する情報を含んでおり、前記抽出部は、前記履歴情報の中から最も高い頻度で録画予約された放送曜日及び放送時間帯の組み合わせを、前記特定の曜日及び前記特定の時間帯の組み合わせとして抽出するように構成してもよい。
【００２６】
一般に、ユーザは、電子番組表のうち、過去に高い頻度で録画予約した放送番組の放送曜日及び放送時間帯の放送スケジュールを優先的に確認すると考えられる。そのため、本態様によれば、抽出部は、履歴情報の中から最も高い頻度で録画予約された放送曜日及び放送時間帯の組み合わせを、特定の曜日及び特定の時間帯の組み合わせとして抽出する。これにより、ユーザが優先的に確認するであろう放送曜日及び放送時間帯の組み合わせをタイムテーブルに表示することができる。
【００２７】
例えば、本発明の一態様に係る表示制御装置において、前記履歴情報は、前記ユーザにより視聴された放送番組のジャンル、放送曜日及び放送時間帯の履歴に関する情報を含んでおり、前記抽出部は、前記ユーザにより放送番組が視聴されたことがない曜日及び時間帯の組み合わせであり、且つ、前記履歴情報のうち最も高い頻度で視聴されたジャンルの放送番組を最も多く含む前記電子番組表における曜日及び時間帯の組み合わせを、前記特定の曜日及び前記特定の時間帯の組み合わせとして抽出するように構成してもよい。
【００２８】
一般に、ユーザは、電子番組表のうち、放送番組を視聴したことがない曜日及び時間帯であり、且つ、過去に高い頻度で視聴したジャンルの放送番組を多く含む曜日及び時間帯の放送スケジュールを優先的に確認すると考えられる。そのため、本態様によれば、抽出部は、ユーザにより放送番組が視聴されたことがない曜日及び時間帯の組み合わせであり、且つ、履歴情報のうち最も高い頻度で視聴されたジャンルの放送番組を最も多く含む電子番組表における曜日及び時間帯の組み合わせを、特定の曜日及び特定の時間帯の組み合わせとして抽出する。これにより、ユーザが優先的に確認するであろう曜日及び時間帯の組み合わせをタイムテーブルに表示することができる。
【００２９】
例えば、本発明の一態様に係る表示制御装置において、さらに、ユーザが外出する予定の外出予定曜日及び外出予定時間帯の組み合わせに関するスケジュール情報を外部から受信する受信部と、前記スケジュール情報の中から現在時刻に最も近い外出予定曜日及び外出予定時間帯の組み合わせを、前記特定の曜日及び前記特定の時間帯の組み合わせとして抽出する抽出部と、を備え、前記生成部は、前記抽出部により抽出された前記特定の曜日及び前記特定の時間帯の組み合わせに基づいて、前記タイムテーブルを生成するように構成してもよい。
【００３０】
本態様によれば、抽出部は、スケジュール情報の中から現在時刻に最も近い外出予定曜日及び外出予定時間帯の組み合わせを、特定の曜日及び特定の時間帯の組み合わせとして抽出する。外出予定曜日及び外出予定時間帯の組み合わせをタイムテーブルに表示することによって、例えば外出中に放送される予定の放送番組を録画予約することをユーザに気付かせることができる。
【００３１】
なお、本発明は、このような特徴的な処理部を備える表示制御装置として実現することができるだけでなく、表示制御装置に含まれる特徴的な処理部が実行する処理をステップとする制御方法として実現することができる。また、表示制御装置に含まれる特徴的な処理部としてコンピュータを機能させるためのプログラム又は制御方法に含まれる特徴的なステップをコンピュータに実行させるプログラムとして実現することもできる。そして、そのようなプログラムを、ＣＤ−ＲＯＭ（Ｃｏｍｐａｃｔ  Ｄｉｓｃ−Ｒｅａｄ  Ｏｎｌｙ  Ｍｅｍｏｒｙ）等のコンピュータ読取可能な非一時的な記録媒体やインターネット等の通信ネットワークを介して流通させることができるのは、言うまでもない。
【発明の効果】
【００３２】
本発明の一態様に係る表示制御装置によれば、電子番組表の中から所望の曜日及び時間帯の放送スケジュールを少ない操作で確認することができる。
【図面の簡単な説明】
【００３３】
【図１】実施の形態１に係る表示制御装置を遠隔操作するためのリモコンを示す図である。
【図２】実施の形態１に係る表示制御装置の機能的構成を示すブロック図である。
【図３】制御部の機能的構成を示すブロック図である。
【図４】実施の形態１に係る表示制御装置における履歴情報の登録の流れを示すフローチャートである。
【図５】記憶部に記憶された履歴情報テーブルの一例を示す図である。
【図６】実施の形態１に係る表示制御装置におけるタイムテーブルの表示の流れを示すフローチャートである。
【図７】液晶パネルに表示される電子番組表の一例を示す図である。
【図８】液晶パネルに表示されるタイムテーブルの一例を示す図である。
【図９】タイムテーブルを液晶パネルに表示させるステップを具体的に示すフローチャートである。
【図１０】タイムテーブルにおいて特定のセルを選択した際に表示される電子番組表の一例を示す図である。
【図１１】実施の形態１の変形例に係る表示制御装置における履歴情報の登録の流れを示すフローチャートである。
【図１２】実施の形態２に係る表示制御装置における履歴情報の登録の流れを示すフローチャートである。
【図１３】記憶部に記憶された履歴情報テーブルの一例を示す図である。
【図１４】実施の形態３に係る表示制御装置及び携帯通信端末を示す概念図である。
【図１５】実施の形態３に係る表示制御装置の制御部の機能的構成を示すブロック図である。
【図１６】記憶部に記憶されたスケジュール情報テーブルの一例を示す図である。
【発明を実施するための形態】
【００３４】
以下、本発明の実施の形態について、図面を用いて詳細に説明する。なお、以下で説明する実施の形態は、いずれも本発明の好ましい一具体例を示すものである。以下の実施の形態で示される数値、形状、材料、構成要素、構成要素の配置位置及び接続形態、ステップ、ステップの順序等は、一例であり、本発明を限定する主旨ではない。本発明は、特許請求の範囲によって特定される。よって、以下の実施の形態における構成要素のうち、独立請求項に記載されていない構成要素については、本発明の課題を達成するのに必ずしも必要ではないが、より好ましい形態を構成するものとして説明される。
【００３５】
（実施の形態１）
［表示制御装置の構成］
まず、図１及び図２を参照しながら、本実施の形態に係る表示制御装置２の構成について説明する。図１は、実施の形態１に係る表示制御装置を遠隔操作するためのリモコンを示す図である。図２は、実施の形態１に係る表示制御装置の機能的構成を示すブロック図である。
【００３６】
本実施の形態の表示制御装置２は、例えば、デジタルテレビジョン受像機である。図２に示すように、表示制御装置２には、画像を表示するための液晶パネル６（表示装置を構成する）及び音声を出力するためのスピーカ８が搭載されている。
【００３７】
表示制御装置２は、リモコン１０（操作機器を構成する）により遠隔操作することができる。図１に示すように、リモコン１０には、ユーザによって入力される複数のキー１２が設けられている。複数のキー１２は、例えば、電源キー１４、複数の数字キー１６、番組表表示キー１８、十字キー２０及び決定キー２２等を含んでいる。
【００３８】
電源キー１４は、表示制御装置２の主電源をオン又はオフするためのキーである。複数の数字キー１６の各々は、例えば対応する放送チャンネルを選局するためのキーである。複数の数字キー１６にはそれぞれ、「１」〜「１２」までの各数字が割り当てられている。例えば、複数の数字キー１６ａ〜１６ｅにはそれぞれ、「１」〜「５」までの各数字が割り当てられている。番組表表示キー１８は、電子番組表６２（後述する図７参照）を液晶パネル６に表示させるためのキーである。なお、電子番組表６２は、複数の放送チャンネル（例えば、ＣＨ１〜ＣＨ２０）についての１週間分の放送番組の放送スケジュールに関する番組表データである。十字キー２０及び決定キー２２はそれぞれ、例えば電子番組表６２等を操作するためのボタンである。
【００３９】
複数のキー１２は、さらに、タイムテーブル表示キー２４を含んでいる。このタイムテーブル表示キー２４は、タイムテーブル６６（後述する図８参照）を液晶パネル６に表示させるためのキーである。なお、本実施の形態の表示制御装置２では、タイムテーブル６６を液晶パネル６に表示させる機能に特徴がある。タイムテーブル６６については後で詳述する。
【００４０】
ここで、上述した表示制御装置２の機能的構成について説明する。図２に示すように、表示制御装置２は、上述した液晶パネル６及びスピーカ８に加えて、チューナ部２６、復調部２８、デマルチプレクサ３０、画像デコーダ３２、ＯＳＤ（Ｏｎ−Ｓｃｒｅｅｎ  Ｄｉｓｐｌａｙ）処理部３４、画像出力部３６、音声デコーダ３８、アンプ４０、制御部４２、記憶部４４及びリモコン受光部４６（受付部を構成する）を備えている。
【００４１】
表示制御装置２の外部には、アンテナ４７が配置されている。アンテナ４７は、チューナ部２６と接続されており、テレビジョン放送局（図示せず）から発信されたデジタル放送信号を受信する。
【００４２】
チューナ部２６は、アンテナ４７からのデジタル放送信号（デジタル放送番組）を受信する。チューナ部２６は、受信したデジタル放送信号から所定の放送チャンネルのデジタル放送信号を抽出し、抽出したデジタル放送信号を復調部２８に出力する。
【００４３】
復調部２８は、チューナ部２６から出力されたデジタル放送信号に対してデジタル復調及び誤り訂正等の処理を実行することにより、トランスポートストリーム（ＴＳ：Ｔｒａｎｓｐｏｒｔ  Ｓｔｒｅａｍ）を生成する。なお、トランスポートストリームとは、デジタル化された画像ストリーム、音声ストリーム及びそれらに付随するシステム情報を重畳したビットストリームである。復調部２８は、生成したトランスポートストリームをデマルチプレクサ３０に出力する。
【００４４】
デマルチプレクサ３０は、トランスポートストリームから画像ストリームを抽出し、抽出した画像ストリームを画像デコーダ３２に出力する。デマルチプレクサ３０は、さらに、トランスポートストリームから音声ストリームを抽出し、抽出した音声ストリームを音声デコーダ３８に出力する。
【００４５】
画像デコーダ３２は、デマルチプレクサ３０から出力された画像ストリームをデコードすることにより、デジタル画像データを生成する。画像デコーダ３２は、生成したデジタル画像データを、ＯＳＤ処理部３４を介して画像出力部３６に出力する。
【００４６】
ＯＳＤ処理部３４は、画像デコーダ３２から出力されたデジタル画像データに対して、制御部４２から出力されたＯＳＤ画像データを重畳させる。ＯＳＤ処理部３４は、ＯＳＤ画像データを重畳させたデジタル画像データを、画像出力部３６に出力する。
【００４７】
画像出力部３６は、ＯＳＤ処理部３４から出力されたデジタル画像データに基づいて、液晶パネル６での表示動作に必要な駆動信号を生成する。画像出力部３６は、生成した駆動信号を液晶パネル６に出力する。液晶パネル６は、画像出力部３６から出力された駆動信号に基づいて画像を表示する。
【００４８】
音声デコーダ３８は、デマルチプレクサ３０から出力された音声ストリームをデコードすることにより、デジタル音声データを生成する。音声デコーダ３８は、生成したデジタル音声データをアンプ４０に出力する。
【００４９】
アンプ４０は、制御部４２からの増幅信号に基づいて、音声デコーダ３８から出力されたデジタル音声データを増幅する。アンプ４０は、増幅したデジタル音声データをスピーカ８に出力することにより、スピーカ８を駆動する。スピーカ８は、アンプ４０から出力されたデジタル音声データに基づいて音声を出力する。
【００５０】
制御部４２は、例えばマイクロコンピュータで構成されている。制御部４２は、メモリに格納された制御プログラムに基づいて、表示制御装置２の上述した各構成要素を統括的に制御する。制御部４２の機能的構成については後述する。
【００５１】
記憶部４４は、各種のデータを記憶するためのメモリである。記憶部４４には、例えば、電子番組表６２、履歴情報（後述する）及び録画された放送番組等が記憶されている。
【００５２】
リモコン受光部４６は、リモコン１０から出力されたリモコン信号を受信することにより、リモコン１０の複数のキー１２の各々を入力する操作を受け付ける。リモコン受光部４６は、受信したリモコン信号をリモコンコードに変換し、このリモコンコードを制御部４２に出力する。制御部４２は、リモコン受光部４６から出力されたリモコンコードに基づいて、各種の制御（例えば、表示制御装置２の主電源のオン又はオフ、電子番組表６２の表示、タイムテーブル６６の表示等）を行う。
【００５３】
［制御部の機能的構成］
次に、図３を参照しながら、上述した制御部４２の機能的構成について説明する。図３は、制御部の機能的構成を示すブロック図である。
【００５４】
図３に示すように、制御部４２は、取得部４８、抽出部５０、生成部５２、表示制御部５４、履歴情報登録部５６、視聴予約設定部５８及び録画予約設定部６０を有している。
【００５５】
取得部４８は、デジタル放送信号に重畳された番組関連情報に基づいて、電子番組表６２を取得する。なお、取得部４８により取得された電子番組表６２は、上述した記憶部４４に記憶される。電子番組表６２については後述する。
【００５６】
抽出部５０は、記憶部４４に記憶された履歴情報に基づいて、電子番組表６２における曜日及び時間帯の組み合わせの中から、ユーザにお勧めする特定の曜日及び特定の時間帯の組み合わせを抽出する。
【００５７】
生成部５２は、抽出部５０により抽出された特定の曜日及び特定の時間帯の組み合わせに基づいて、タイムテーブル６６を生成する。タイムテーブル６６については後述する。
【００５８】
表示制御部５４は、リモコン受光部４６から出力されたリモコンコードに基づいて、電子番組表６２及びタイムテーブル６６をそれぞれ液晶パネル６に表示させる。
【００５９】
履歴情報登録部５６は、ユーザが放送番組をリアルタイムで視聴した際に、履歴情報を記憶部４４に登録する。なお、履歴情報は、ユーザが放送番組を視聴した視聴曜日及び視聴時間帯の履歴に関する情報である。
【００６０】
視聴予約設定部５８は、放送番組の視聴予約を設定する。視聴予約設定部５８は、例えば、電子番組表６２上で特定の放送番組が選択された際に、当該特定の放送番組の視聴予約を設定する。
【００６１】
録画予約設定部６０は、放送番組の録画予約を設定する。録画予約設定部６０は、例えば、電子番組表６２上で特定の放送番組が選択された際に、当該特定の放送番組の録画予約を設定する。なお、録画された放送番組は、上述した記憶部４４に記憶される。
【００６２】
［表示制御装置における処理の流れ］
次に、図４〜図１０を参照しながら、上述した表示制御装置２における処理の流れについて説明する。図４は、実施の形態１に係る表示制御装置における履歴情報の登録の流れを示すフローチャートである。図５は、記憶部に記憶された履歴情報テーブルの一例を示す図である。図６は、実施の形態１に係る表示制御装置におけるタイムテーブルの表示の流れを示すフローチャートである。図７は、液晶パネルに表示される電子番組表の一例を示す図である。図８は、液晶パネルに表示されるタイムテーブルの一例を示す図である。図９は、タイムテーブルを液晶パネルに表示させるステップを具体的に示すフローチャートである。図１０は、タイムテーブルにおいて特定のセルを選択した際に表示される電子番組表の一例を示す図である。
【００６３】
まず、図４を参照しながら、上述した表示制御装置２における履歴情報の登録の流れについて説明する。図４に示すように、まず、ユーザは、リモコン１０の複数の数字キー１６のいずれかを入力することにより、放送チャンネルを選局する（Ｓ１１）。これにより、ユーザは、選局した放送チャンネルの放送番組を視聴する（Ｓ１２）。ユーザが放送チャンネルを選局してから所定の時間（例えば、３０秒）が経過した場合には（Ｓ１３でＹＥＳ）、履歴情報登録部５６は、ユーザが放送番組を視聴したと判定し、ユーザが放送チャンネルを選局した曜日及び時刻をそれぞれ視聴曜日及び視聴開始時刻として記憶部４４に登録する（Ｓ１４）。
【００６４】
その後、ユーザがリモコン１０の複数の数字キー１６のいずれかを入力することにより、放送チャンネルを切り替えた場合には（Ｓ１５でＹＥＳ）、履歴情報登録部５６は、ユーザが放送番組の視聴を終了したと判定し、ユーザが放送チャンネルを切り替えた時刻を視聴終了時刻として記憶部４４に登録する（Ｓ１６）。
【００６５】
以上のようにして、履歴情報登録部５６は、視聴曜日及び視聴時間帯（すなわち、視聴開始時刻から視聴終了時刻までの時間帯）の組み合わせを履歴情報として記憶部４４に登録する。なお、記憶部４４には、履歴情報登録部５６により登録された履歴情報のデータベースとして、例えば図５に示すような履歴情報テーブルが記憶されている。
【００６６】
次に、図６〜図１０を参照しながら、上述した表示制御装置２におけるタイムテーブル６６の表示の流れについて説明する。図６に示すように、まず、ユーザがリモコン１０の番組表表示キー１８を入力することにより、表示制御部５４は、電子番組表６２を液晶パネル６に表示させる（Ｓ２１）。図７に示すように、電子番組表６２は、横軸及び縦軸にそれぞれ放送チャンネル及び時間帯が割り当てられた２次元の番組表として液晶パネル６に表示される。液晶パネル６には、現在の曜日及び時間帯（例えば、月曜日の１５時台）に対応する電子番組表６２が表示される。
【００６７】
図７に示すように、本実施の形態の電子番組表６２では、例えば５個の放送チャンネル（例えば、ＣＨ１〜ＣＨ５）及び５時間分の時間帯（例えば、１５：００〜２０：００）の放送スケジュールが液晶パネル６の表示領域６ａ（すなわち、画像が表示される領域）に一度に表示可能である。ユーザがリモコン１０の十字キー２０を入力することにより、液晶パネル６に表示されたカーソル６４を移動させることができる。カーソル６４により特定の放送番組（例えば、「世界の天気」）がフォーカスされた状態で、ユーザがリモコン１０の決定キー２２を入力することにより、当該特定の放送番組の視聴、視聴予約又は録画予約を行うことができる。
【００６８】
なお、ユーザがリモコン１０の十字キー２０を入力してカーソル６４を上下方向に移動させることにより、電子番組表６２が縦軸方向にスクロールする。これにより、ユーザは、液晶パネル６の表示領域６ａに表示されていない時間帯（例えば、２０：００〜２４：００）の放送スケジュールを確認することができる。一方、ユーザがリモコン１０の十字キー２０を入力してカーソル６４を左右方向に移動させることにより、電子番組表６２が横軸方向にスクロールする。これにより、ユーザは、液晶パネル６の表示領域６ａに表示されていない放送チャンネル（例えば、ＣＨ６〜ＣＨ１０）の放送スケジュールを確認することができる。
【００６９】
図６のフローチャートに戻り、電子番組表６２が液晶パネル６に表示されている状態で、ユーザがリモコン１０のタイムテーブル表示キー２４を入力した場合には（Ｓ２２でＹＥＳ）、表示制御部５４は、タイムテーブル６６を液晶パネル６に表示させる（Ｓ２３）。
【００７０】
図８に示すように、タイムテーブル６６は、電子番組表６２に重畳して表示される。タイムテーブル６６は、横軸が１週間分の曜日（日曜日〜土曜日）を表す曜日軸であり、且つ、縦軸が１日分の時間帯（０：００〜２４：００）を表す時間帯軸である二次元テーブルである。タイムテーブル６６には、曜日と時間帯とを対応付けて示す複数のセル６８が行列状に配置されている。複数のセル６８の１行は、同一時間帯の１週間分の曜日を示している。また、複数のセル６８の１列は、同一曜日の１日分の時間帯を示している。
【００７１】
複数のセル６８は、抽出部５０により抽出された特定の曜日及び特定の時間帯の組み合わせに対応する複数の特定のセル６８ａ〜６８ｅを含んでいる。例えば、複数の特定のセル６８ａ〜６８ｅはそれぞれ、火曜日の５：００〜８：００、月曜日の１５：００〜１８：００、木曜日の１３：００〜１６：００、金曜日の３：００〜６：００、金曜日の１７：００〜２０：００を示している。複数の特定のセル６８ａ〜６８ｅの各々は強調表示されている。すなわち、複数の特定のセル６８ａ〜６８ｅにはそれぞれ、番号「１」〜「５」が表示されているとともに、他のセル６８の色（例えば灰色）と異なる色（例えば白色）が施されている。また、複数の特定のセル６８ａ〜６８ｅを選択する操作はそれぞれ、リモコン１０の複数の特定の数字キー１６ａ〜１６ｅに割り当てられている。
【００７２】
ここで、図９を参照しながら、図６のフローチャートのステップＳ２３、すなわち、タイムテーブル６６を液晶パネル６に表示させるステップについて具体的に説明する。図９に示すように、まず、抽出部５０は、記憶部４４に記憶されている履歴情報テーブルの中から、高い頻度で視聴された視聴曜日及び視聴時間帯の組み合わせを５つ、ユーザにお勧めする特定の曜日及び特定の時間帯の組み合わせとして抽出する（Ｓ３１）。例えば、抽出部５０は、視聴された頻度が最も高いものから順に、火曜日の５：００〜８：００、月曜日の１５：００〜１８：００、木曜日の１３：００〜１６：００、金曜日の３：００〜６：００、金曜日の１７：００〜２０：００をそれぞれ抽出する。
【００７３】
その後、生成部５２は、抽出部５０による抽出結果に基づいて、火曜日の５：００〜８：００、月曜日の１５：００〜１８：００、木曜日の１３：００〜１６：００、金曜日の３：００〜６：００、金曜日の１７：００〜２０：００にそれぞれ対応する複数の特定のセル６８ａ〜６８ｅが強調表示されたタイムテーブル６６を生成する（Ｓ３２）。さらに、生成部５２は、複数の特定の数字キー１６ａ〜１６ｅの各々に対応する番号「１」〜「５」がそれぞれ複数の特定のセル６８ａ〜６８ｅに表示されるように、タイムテーブル６６を生成する。なお、これらの番号「１」〜「５」はそれぞれ、ユーザにお勧めする順位も示している。その後、表示制御部５４は、生成部５２により生成されたタイムテーブル６６を液晶パネル６に表示させる（Ｓ３３）。
【００７４】
図６のフローチャートに戻り、タイムテーブル６６が液晶パネル６に表示されている状態で、ユーザがリモコン１０の複数の特定の数字キー１６ａ〜１６ｅのいずれか（特定のキーを構成する）を入力した場合には（Ｓ２４でＹＥＳ）、リモコン受光部４６は、複数の特定のセル６８ａ〜６８ｅのうち対応する特定のセル６８を選択する操作を受け付ける。これにより、表示制御部５４は、特定の曜日及び特定の時間帯に対応する複数の放送チャンネルに関する電子番組表６２を液晶パネル６に表示させる（Ｓ２５）。
【００７５】
例えば、図８に示すように、ユーザが火曜日の５：００〜８：００の放送スケジュールを確認したいと思った場合には、ユーザは、特定のセル６８ａに表示された番号「１」に対応するリモコン１０の特定の数字キー１６ａを入力することにより、当該特定のセル６８ａを選択する。これにより、図１０に示すように、火曜日の５：００〜８：００の電子番組表６２が液晶パネル６に表示される。このとき、表示制御部５４は、特定の時間帯（例えば、５：００〜８：００）が液晶パネル６の表示領域６ａの中央部に配置されるように、電子番組表６２を液晶パネル６に表示させる。
【００７６】
なお、本実施の形態では、抽出部５０は、記憶部４４に記憶されている履歴情報テーブルの中から、視聴曜日及び視聴時間帯の組み合わせを最も高い頻度で視聴されたものから順に５つ抽出したが、これに限定されず、例えば最も高い頻度で視聴された視聴曜日及び視聴時間帯の組み合わせを１つだけ抽出してもよい。
【００７７】
［効果］
次に、本実施の形態の表示制御装置２により得られる効果について説明する。上述したように、ユーザにお勧めする特定の曜日及び特定の時間帯の組み合わせが複数の特定のセル６８ａ〜６８ｅとしてタイムテーブル６６に表示される。リモコン１０の複数の特定の数字キー１６ａ〜１６ｅのいずれかを入力することによって複数の特定のセル６８ａ〜６８ｅのうち対応する特定のセル６８が選択された際に、特定の曜日及び特定の時間帯の組み合わせに対応する電子番組表６２が液晶パネル６に表示される。これにより、ユーザは、タイムテーブル６６上で複数の特定のセル６８ａ〜６８ｅのいずれかを選択するという少ない操作で、電子番組表６２の中から所望の曜日及び時間帯の放送スケジュールを確認することができる。
【００７８】
一般に、ユーザは、電子番組表６２のうち、過去に高い頻度で放送番組を視聴した曜日及び時間帯の放送スケジュールを優先的に確認すると考えられる。そのため、抽出部５０は、上述したように、記憶部４４に記憶されている履歴情報テーブルの中から、高い頻度で視聴された視聴曜日及び視聴時間帯の組み合わせを、ユーザにお勧めする特定の曜日及び特定の時間帯の組み合わせとして抽出する。これにより、ユーザが優先的に確認するであろう視聴曜日及び視聴時間帯の組み合わせをタイムテーブル６６に表示することができる。
【００７９】
［実施の形態１の変形例］
上記実施の形態１では、抽出部５０は、上述したように、記憶部４４に記憶されている履歴情報テーブルの中から、高い頻度で視聴された視聴曜日及び視聴時間帯の組み合わせを、ユーザにお勧めする特定の曜日及び特定の時間帯の組み合わせとして抽出する。このような構成に代えて、抽出部５０は、例えば次のようにして特定の曜日及び特定の時間帯の組み合わせを抽出してもよい。
【００８０】
図１１は、実施の形態１の変形例に係る表示制御装置における履歴情報の登録の流れを示すフローチャートである。図１１に示すように、ユーザがリモコン１０の番組表表示キー１８を入力することにより、電子番組表６２が液晶パネル６に表示される（Ｓ４１）。この状態で、ユーザが電子番組表６２上で所望の放送番組を選択して視聴予約を実行した場合には（Ｓ４２でＹＥＳ）、視聴予約設定部５８は、選択された放送番組の視聴予約を設定する（Ｓ４３）。この場合、履歴情報登録部５６は、視聴予約された放送番組の放送曜日及び放送時間帯の履歴に関する情報を履歴情報として記憶部４４に登録する（Ｓ４４）。
【００８１】
一方、ユーザが視聴予約をせずに（Ｓ４２でＮＯ）、電子番組表６２上で所望の放送番組を選択して録画予約を実行した場合には（Ｓ４５でＹＥＳ）、視聴予約設定部５８は、選択された放送番組の録画予約を設定する（Ｓ４６）。この場合、履歴情報登録部５６は、録画予約された放送番組の放送曜日及び放送時間帯の履歴に関する情報を履歴情報として記憶部４４に登録する（Ｓ４４）。
【００８２】
抽出部５０は、記憶部４４に記憶されている履歴情報テーブルの中から、最も高い頻度で視聴予約（又は録画予約）された放送番組の放送曜日及び放送時間帯の組み合わせを、ユーザにお勧めする特定の曜日及び特定の時間帯の組み合わせとして抽出する。したがって、本変形例においても、上記実施の形態１と同様の効果を得ることができる。
【００８３】
一般に、ユーザは、電子番組表６２に含まれる放送スケジュールのうち、過去に高い頻度で視聴予約（又は録画予約）した放送番組の放送曜日及び放送時間帯の放送スケジュールを優先的に確認すると考えられる。そのため、抽出部５０は、上述したように、記憶部４４に記憶されている履歴情報テーブルの中から、最も高い頻度で視聴予約（又は録画予約）された放送曜日及び放送時間帯の組み合わせを、ユーザにお勧めする特定の曜日及び特定の時間帯の組み合わせとして抽出する。これにより、ユーザが優先的に確認するであろう放送曜日及び放送時間帯の組み合わせをタイムテーブル６６に表示することができる。
【００８４】
なお、本変形例では、視聴予約された放送番組及び録画予約された放送番組の放送曜日及び放送時間帯の履歴に関する情報が記憶部４４に登録されるように構成したが、視聴予約された放送番組の放送曜日及び放送時間帯の履歴に関する情報のみが記憶部４４に登録されるように構成してもよい。あるいは、録画予約された放送番組の放送曜日及び放送時間帯の履歴に関する情報のみが記憶部４４に登録されるように構成してもよい。
【００８５】
［実施の形態２］
次に、図１２及び図１３を参照しながら、実施の形態２に係る表示制御装置の構成について説明する。図１２は、実施の形態２に係る表示制御装置における履歴情報の登録の流れを示すフローチャートである。図１３は、記憶部に記憶された履歴情報テーブルの一例を示す図である。なお、以下に示す各実施の形態では、上記実施の形態１と同様の構成要素には同一の符号を付して、その説明を省略する。
【００８６】
図１２のフローチャートの各ステップのうち、上述した図４のフローチャートのステップと同じステップには同じステップ番号を付して、その説明を省略する。図１２に示すように、履歴情報登録部５６は、ユーザにより視聴された視聴曜日及び視聴時間帯に加えて、ユーザにより視聴された放送番組のジャンル（例えば、ドラマ、ニュース、スポーツ及び音楽等）を履歴情報として記憶部４４に登録する（Ｓ５１）。記憶部４４には、履歴情報登録部５６により登録された履歴情報のデータベースとして、例えば図１３に示すような履歴情報テーブルが記憶されている。
【００８７】
抽出部５０は、記憶部４４に記憶されている履歴情報テーブルの中から、ユーザにより放送番組が視聴されたことがない曜日及び時間帯の組み合わせを抽出する。さらに、抽出部５０は、記憶部４４に記憶されている履歴情報テーブルの中から、最も高い頻度で視聴された放送番組のジャンルを抽出する。これにより、抽出部５０は、ユーザにより放送番組が視聴されたことがない曜日及び時間帯の組み合わせであり、且つ、最も高い頻度で視聴されたジャンルの放送番組を最も多く含む電子番組表６２における曜日及び時間帯の組み合わせを、ユーザにお勧めする特定の曜日及び特定の時間帯の組み合わせとして抽出する。
【００８８】
例えば、ユーザにより最も高い頻度で視聴された放送番組のジャンルが「ドラマ」であり、ユーザにより放送番組が視聴されたことがない曜日及び時間帯が水曜日の１９：００〜２２：００、金曜日の４：００〜７：００、土曜日の９：００〜１２：００であるとする。電子番組表６２の放送スケジュールにおいて、上述した曜日及び時間帯のうち水曜日の１９：００〜２２：００に「ドラマ」のジャンルの放送番組が最も多く含まれる場合には、抽出部５０は、水曜日の１９：００〜２２：００を、ユーザにお勧めする特定の曜日及び特定の時間帯の組み合わせとして抽出する。
【００８９】
一般に、ユーザは、電子番組表６２のうち、放送番組を視聴したことがない曜日及び時間帯であり、且つ、過去に高い頻度で視聴したジャンルの放送番組を多く含む曜日及び時間帯の放送スケジュールを優先的に確認すると考えられる。そのため、抽出部５０は、ユーザにより放送番組が視聴されたことがない曜日及び時間帯の組み合わせであり、且つ、履歴情報のうち最も高い頻度で視聴されたジャンルの放送番組を最も多く含む電子番組表６２における曜日及び時間帯の組み合わせを、ユーザにお勧めする特定の曜日及び特定の時間帯の組み合わせとして抽出する。これにより、ユーザが優先的に確認するであろう曜日及び時間帯の組み合わせをタイムテーブル６６に表示することができる。
【００９０】
［実施の形態３］
次に、図１４〜図１６を参照しながら、実施の形態３に係る表示制御装置の構成について説明する。図１４は、実施の形態３に係る表示制御装置及び携帯通信端末を示す概念図である。図１５は、実施の形態３に係る表示制御装置の制御部の機能的構成を示すブロック図である。図１６は、記憶部に記憶されたスケジュール情報テーブルの一例を示す図である。
【００９１】
図１４及び図１５に示すように、本実施の形態の表示制御装置２Ａでは、抽出部５０Ａは、通信端末７０により登録されたユーザの外出スケジュールに基づいて、ユーザにお勧めする特定の曜日及び特定の時間帯の組み合わせを抽出する。
【００９２】
通信端末７０は、例えば、パーソナルコンピュータ、携帯電話機、スマートフォン又はタブレット端末等である。通信端末７０には、ユーザの外出スケジュールを管理するためのアプリケーションがインストールされている。ユーザは、通信端末７０を用いて入力されたユーザの外出スケジュールを、インターネット等のネットワーク７２を介してクラウドサーバ７４にスケジュール情報として登録することができる。
【００９３】
図１５に示すように、本実施の形態の表示制御装置２Ａの制御部４２Ａは、上記実施の形態１で説明した履歴情報登録部５６に代えて、受信部７６を有している。受信部７６は、クラウドサーバ７４に登録されたスケジュール情報を、ネットワーク７２を介して受信する。受信部７６により受信されたスケジュール情報は、記憶部４４に記憶される。なお、スケジュール情報は、ユーザが外出する予定の外出予定曜日及び外出予定時間帯の組み合わせに関する情報である。記憶部４４には、スケジュール情報のデータベースとして、例えば図１６に示すようなスケジュール情報テーブルが記憶されている。
【００９４】
抽出部５０Ａは、スケジュール情報の中から現在時刻に最も近い外出予定曜日及び外出予定時間帯の組み合わせを、ユーザにお勧めする特定の曜日及び特定の時間帯の組み合わせとして抽出する。例えば、現在の曜日が火曜日であり、且つ、現在時刻が１２時台である場合には、抽出部５０Ａは、スケジュール情報の中から現在時刻に最も近い外出予定曜日及び外出予定時間帯の組み合わせとして、火曜日の１３：００〜１６：００を抽出する。
【００９５】
本実施の形態では、外出予定曜日及び外出予定時間帯の組み合わせをタイムテーブル６６に表示することによって、例えば外出中に放送される予定の放送番組を録画予約することをユーザに気付かせることができる。
【００９６】
なお、本実施の形態では、抽出部５０Ａは、スケジュール情報の中から現在時刻に最も近い外出予定曜日及び外出予定時間帯の組み合わせを１つのみ抽出したが、これに限定されず、例えば、スケジュール情報の中から外出予定曜日及び外出予定時間帯の組み合わせを、現在時刻に最も近いものから複数個抽出してもよい。
【００９７】
なお、本実施の形態では、受信部７６は、クラウドサーバ７４に登録されたスケジュール情報を、ネットワーク７２を介して受信したが、これに限定されず、例えばＷｉ−Ｆｉ（登録商標）又はブルートゥース（Ｂｌｕｅｔｏｏｔｈ（登録商標））等の通信規格を利用することにより、通信端末７０からスケジュール情報を受信してもよい。
【００９８】
以上、本発明の実施の形態１〜３に係る表示制御装置について説明したが、本発明は、上記各実施の形態に限定されるものではない。例えば、上記各実施の形態を組み合わせてもよい。
【００９９】
上記各実施の形態では、表示制御装置をデジタルテレビジョン受像機で構成したが、これに限定されず、例えばＢＤ（Ｂｌｕ−ｒａｙ（登録商標）  Ｄｉｓｃ）レコーダ等で構成してもよい。この場合、表示制御装置は、ＢＤレコーダ等に接続された表示装置としてのテレビジョン受像機等に電子番組表を表示させる。
【０１００】
上記各実施の形態では、５個の放送チャンネル及び５時間分の時間帯の放送スケジュールが液晶パネルの表示領域に一度に表示可能であるように構成したが、これに限定されず、液晶パネルの表示領域に一度に表示可能な放送チャンネル数及び時間帯は適宜設定することができる。例えば、１０個の放送チャンネル及び２４時間分の時間帯の放送スケジュールが液晶パネルの表示領域に一度に表示可能であるように構成してもよい。
【０１０１】
上記各実施の形態では、複数の特定のセルの各々を同じ色で強調表示したが、これに限定されず、例えば、複数の特定のセルの各々を互いに異なる色で強調表示してもよい。
【０１０２】
また、上記の各装置は、具体的には、マイクロプロセッサ、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ハードディスクドライブ、ディスプレイユニット、キーボード及びマウス等から構成されるコンピュータシステムとして構成されてもよい。ＲＡＭ又はハードディスクドライブには、コンピュータプログラムが記憶されている。マイクロプロセッサが、コンピュータプログラムに従って動作することにより、各装置は、その機能を達成する。ここでコンピュータプログラムは、所定の機能を達成するために、コンピュータに対する指令を示す命令コードが複数個組み合わされて構成されたものである。
【０１０３】
さらに、上記の各装置を構成する構成要素の一部又は全部は、１個のシステムＬＳＩ（Ｌａｒｇｅ  Ｓｃａｌｅ  Ｉｎｔｅｇｒａｔｉｏｎ：大規模集積回路）から構成されているとしてもよい。システムＬＳＩは、複数の構成部を１個のチップ上に集積して製造された超多機能ＬＳＩであり、具体的には、マイクロプロセッサ、ＲＯＭ及びＲＡＭ等を含んで構成されるコンピュータシステムである。ＲＡＭには、コンピュータプログラムが記憶されている。マイクロプロセッサが、コンピュータプログラムに従って動作することにより、システムＬＳＩは、その機能を達成する。
【０１０４】
さらにまた、上記の各装置を構成する構成要素の一部又は全部は、各装置に脱着可能なＩＣカード又は単体のモジュールから構成されているとしてもよい。ＩＣカード又はモジュールは、マイクロプロセッサ、ＲＯＭ及びＲＡＭ等から構成されるコンピュータシステムである。ＩＣカード又はモジュールは、上記の超多機能ＬＳＩを含むとしてもよい。マイクロプロセッサが、コンピュータプログラムに従って動作することにより、ＩＣカード又はモジュールは、その機能を達成する。このＩＣカード又はこのモジュールは、耐タンパ性を有するとしてもよい。
【０１０５】
また、本発明は、上記に示す方法であるとしてもよい。また、本発明は、これらの方法をコンピュータにより実現するコンピュータプログラムであるとしてもよいし、上記コンピュータプログラムからなるデジタル信号であるとしてもよい。
【０１０６】
さらに、本発明は、上記コンピュータプログラム又は上記デジタル信号をコンピュータ読み取り可能な非一時的な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ（登録商標）  Ｄｉｓｃ）、半導体メモリ等に記録したものとしてもよい。また、これらの非一時的な記録媒体に記録されている上記デジタル信号であるとしてもよい。
【０１０７】
また、本発明は、上記コンピュータプログラム又は上記デジタル信号を、電気通信回線、無線又は有線通信回線、インターネットを代表とするネットワーク、データ放送等を経由して伝送するものとしてもよい。
【０１０８】
また、本発明は、マイクロプロセッサ及びメモリを備えたコンピュータシステムであって、上記メモリは、上記コンピュータプログラムを記憶しており、上記マイクロプロセッサは、上記コンピュータプログラムに従って動作するとしてもよい。
【０１０９】
また、上記プログラム又は上記デジタル信号を上記非一時的な記録媒体に記録して移送することにより、又は、上記プログラム又は上記デジタル信号を上記ネットワーク等を経由して移送することにより、独立した他のコンピュータシステムにより実施するとしてもよい。
【産業上の利用可能性】
【０１１０】
本発明の表示制御装置は、例えばデジタルテレビジョン受像機等として適用することができる。
【符号の説明】
【０１１１】
２，２Ａ  表示制御装置
６  液晶パネル
６ａ  表示領域
８  スピーカ
１０  リモコン
１２  キー
１４  電源キー
１６  数字キー
１６ａ，１６ｂ，１６ｃ，１６ｄ，１６ｅ  特定の数字キー
１８  番組表表示キー
２０  十字キー
２２  決定キー
２４  タイムテーブル表示キー
２６  チューナ部
２８  復調部
３０  デマルチプレクサ
３２  画像デコーダ
３４  ＯＳＤ処理部
３６  画像出力部
３８  音声デコーダ
４０  アンプ
４２，４２Ａ  制御部
４４  記憶部
４６  リモコン受光部
４７  アンテナ
４８  取得部
５０，５０Ａ  抽出部
５２  生成部
５４  表示制御部
５６  履歴情報登録部
５８  視聴予約設定部
６０  録画予約設定部
６２  電子番組表
６４  カーソル
６６  タイムテーブル
６８  セル
６８ａ，６８ｂ，６８ｃ，６８ｄ，６８ｅ  特定のセル
７０  通信端末
７２  ネットワーク
７４  クラウドサーバ
７６  受信部
【図１】
2015089044.tif 000003
【図２】
2015089044.tif 000004
【図３】
2015089044.tif 000005
【図４】
2015089044.tif 000006
【図５】
2015089044.tif 000007
【図６】
2015089044.tif 000008
【図７】
2015089044.tif 000009
【図８】
2015089044.tif 000010
【図９】
2015089044.tif 000011
【図１０】
2015089044.tif 000012
【図１１】
2015089044.tif 000013
【図１２】
2015089044.tif 000014
【図１３】
2015089044.tif 000015
【図１４】
2015089044.tif 000016
【図１５】
2015089044.tif 000017
【図１６】
2015089044.tif 000018